(57)【要約】      （修正有）【課題】吊り下げ式照明器具との取り付けが便利で、安全性、安定性を備えるプッシュ式引掛シーリングローゼットを提供する。【解決手段】上蓋１０と、二つの引掛部材１２と、底座１１と、三つの嵌合装置１３と、嵌合装置に対応する弾性部材と、外部がプッシュ面１５１である解除ボタン１５と、ロック嵌合部とを備える。上蓋の周囲縁の三箇所に挿入スロット１０３、一箇所に収納スロット１０４を設ける。底座には、上蓋の各スロットに対応する挿入スロット１１３と収納スロット１１４を設ける。嵌合装置の外部には、嵌合面１３７、１３８を形成する。【選択図】図１
0003173885.tif 000002
【実用新案登録請求の範囲】
【請求項１】
上蓋、引掛部材、底座、嵌合装置、弾性部材、ボタン、解除ボタン、ロック嵌合部を備えるプッシュ式引掛シーリングローゼットにおいて、
前記上蓋の底部中央下方には軸方向に三本に分割されるガイド骨を設け、ガイド骨上には外向きの定位突出エッジを形成し、上蓋の周囲縁には三箇所に挿入スロットと一箇所に収納スロットを設置し、内部には二箇所に螺着穴を設け、上面の二箇所には方形の貫通孔と一箇所にロック棒孔を貫設し、内部には若干のスライド溝を設け、各挿入スロットの内部には位置決めブロックを設け、
前記引掛部材の数量は二つで、一端にはねじを通すための貫通孔を備え、上蓋内部の螺着穴に螺着し、他端は湾曲鈎部とし、上向きに上蓋の貫通孔に貫設し、
前記底座には上蓋の挿入スロットに対応して並列配置する三つの挿入スロットと、上蓋の収納スロットに対応して並列配置する一つの収納スロットを備え、内部には若干のスライド溝を設け、底面中央には大貫通孔を設置し、三つの収納スロットを貫設し、組み立て時は底座と上蓋を併せて結合し、
前記嵌合装置の数量は三つであり、各嵌合装置は内側方向に内腔を備え、上部には内側から外側方向に内設穴を設置し、終端には止ブロックを上に向かって延伸させ、止ブロックの外側底縁には円弧状の被押圧エッジを設け、底部の下方向に位置決めブロックを延伸し、止ブロックの後方には位置決め嵌合口を形成し、外部には嵌着面を形成し、その底面にはガイド斜面を形成し、組み立て時には、嵌合装置を対応する上蓋の挿入スロット内に配置し、位置決め嵌合口には上蓋の位置決めブロックを収納し、
前記弾性部材は数量を３とし、嵌合装置にそれぞれを対応させて使用し、組み立て時には、上蓋内に対応する挿入スロットのスライド溝内に配置し、一端で上蓋内のガイド骨の定位突出エッジを押圧し、他端で内設穴の範囲内に挿入し嵌合装置の止ブロックを押圧し、
前記ボタンには円筒状のプッシュ部を備え、その内部に直立状の三つのガイド溝を形成し、上面には外側に延伸し等分されて傾斜するプッシュアーム爪を形成し、組み立て時には、プッシュ部を底座上方から対応する底座の大貫通孔内に挿設し、上蓋と底座を結合する時、ボタンのガイド溝は上蓋のガイド骨を被嵌し、三プッシュアーム爪はそれぞれ対応する嵌合装置の内腔内に進入し、プッシュアーム爪の上部内側縁は斜め方向に止ブロックの被押圧エッジを押圧し、弾性部材は対応する嵌合装置の最も外側位置を押し、
前記解除ボタンの外部はプッシュ面であり、内部には斜面を備え、組立時には、上蓋の収納スロット内の外側に近い箇所に配置し、プッシュ面は収納スロットの外側に配置し、  前記ロック嵌合部には、解除ボタンの斜面に対応する斜面と上方向に突出するロック棒を配置し、底面には内側方向に深く進入し弾性部材を収納するための内設穴を備え、組立時には上蓋の収納スロット内の内側に近い箇所に配置し、斜面と解除ボタンの斜面を向き合わせて密着させ、ロック棒を上蓋のロック棒孔に真正面に向かせ、上蓋と底座を併せて結合する時、弾性部材の底端は底座内壁によって押圧されるため、ロック嵌合部全体には上向きに移動する力が生じ、ロック棒は上向きに上蓋のロック棒孔を貫通し外側に突出することを特徴とするプッシュ式引掛シーリングローゼット。
【請求項２】
請求項１記載のプッシュ式引掛シーリングローゼットにおいて、前記解除ボタンがプッシュ面を押す時、解除ボタンは収納スロットに沿って内側に移動し、解除ボタンの斜面は分力によりロック嵌合部の斜面を押し動かし、それに従動されるロック嵌合部は弾性部材を圧縮して下降し、ロック棒は上蓋のロック棒孔内に収縮することを特徴とする、プッシュ式引掛シーリングローゼット。
【請求項３】
請求項１記載のプッシュ式引掛シーリングローゼットにおいて、前記嵌合装置の嵌着面は上層嵌着面、上層ガイド斜面、及び下層嵌着面、下層ガイド斜面を備える二層式に成形することを特徴とする、プッシュ式引掛シーリングローゼット。
【請求項４】
請求項１記載のプッシュ式引掛シーリングローゼットにおいて、前記嵌合装置の嵌着面は、ただ嵌着面及びガイド斜面を備えた一層式に成形することを特徴とする、プッシュ式引掛シーリングローゼット。
【考案の詳細な説明】
【技術分野】
【０００１】
本考案は、プッシュ式引掛シーリングローゼットに関し、特に三つの嵌合装置を備えるプッシュ式引掛シーリングローゼットに係る。
【背景技術】
【０００２】
引掛シーリングローゼットは高所の固定位置（例えば天井）に取り付けるもので、尚且つ電源に電気的に接続し、さらに引掛式電気製品（最もよく見られるものに吊り下げ式照明器具がある）を組み合わせて連結し電気的に接続して使用する。よって、引掛シーリングローゼットは使用上において、高所の固定位置に取り付け、吊り下げ式照明器具に接合する二つの組立工程を含む。現在、公知の引掛シーリングローゼットと吊り下げ式照明器具間には引掛シーリングローゼット内部の相対する二端に設置する嵌合装置によって連結し、即ち、公知の引掛シーリングローゼットは二嵌合装置によって相対する１８０度の嵌着を行うが、吊り下げ式照明器具全体の安全性、安定性が良好でない欠点を有する。
【０００３】
社会の発展と科学技術の進歩に伴い、照明器具も絶え間なく更新されている。その内、引掛シーリングローゼットもまた新しいものへと改良が続けられ、特に引掛シーリングローゼット本体の取り付けの便利性及び吊り下げ式照明器具間の嵌着の安全性が非常に重視されている。
【考案の概要】
【考案が解決しようとする課題】
【０００４】
本考案の主な目的は、嵌合装置の外部に嵌着面を形成し、吊り下げ式照明器具と組み合わせて結合する利便を図り、尚且つ、嵌合装置数量が３つであるため、平均的に安定定位した状態で吊り下げ式照明器具を支えられるプッシュ式引掛シーリングローゼットである。
【課題を解決するための手段】
【０００５】
上述目的を達成するために、本考案はプッシュ式引掛シーリングローゼットを設計し、その構成には、上蓋、引掛部材、底座、嵌合装置、弾性部材、ボタン、解除ボタン、ロック嵌合部を含む。前記上蓋の底部中央下方には軸方向に三本に分割されるガイド骨を設け、ガイド骨上には外向きの定位突出エッジを形成する。上蓋の周囲縁には三箇所に挿入スロットと一箇所に収納スロットを設置し、内部には二箇所に螺着穴を設け、上面の二箇所には方形の貫通孔と一箇所にロック棒孔を貫設する。上蓋内部には若干のスライド溝を設け、各挿入スロットの内部には位置決めブロックを設ける。前記引掛部材の数量は二つで、一端にはねじを通すための貫通孔を備え、上蓋内部の螺着穴に螺着し、他端は湾曲鈎部とし、上向きに上蓋の貫通孔に貫設する。前記底座には上蓋の挿入スロットに対応して並列配置する三つの挿入スロットと、上蓋の収納スロットに対応して並列配置する一つの収納スロットを備え、内部には若干のスライド溝を設け、底面中央には大貫通孔を設置し、三つの収納スロットを貫設する。組み立て時は底座と上蓋を併せて結合する。前記嵌合装置の数量は三つで、各嵌合装置は内側方向に内腔を備え、上部には内側から外側方向に内設穴を設置し、終端には止ブロックを上に向かって延伸させる。止ブロックの外側底縁には円弧状の被押圧エッジを設ける。底部の下方向に位置決めブロックを延伸し、止ブロックの後方には位置決め嵌合口を形成し、外部には嵌着面を形成し、その底面にはガイド斜面を形成する。組み立て時、嵌合装置を対応する上蓋の挿入スロット内に配置し、位置決め嵌合口は上蓋の位置決めブロックを収納する。前記弾性部材は数量を３とし、嵌合装置にそれぞれを対応させて使用する。組み立て時は、上蓋内に対応する挿入スロットのスライド溝内に配置し、一端は上蓋内のガイド骨の定位突出エッジを押圧し、他端は内設穴の範囲内に挿入し嵌合装置の止ブロックを押圧する。前記ボタンには円筒状のプッシュ部を備え、その内部に直立状の三つのガイド溝を形成し、上面には外側に延伸し等分されて傾斜するプッシュアーム爪を形成する。また、組み立て時、プッシュ部を底座上方から対応する底座の大貫通孔内に挿設し、上蓋と底座を結合する時、ボタンのガイド溝は上蓋のガイド骨を被嵌し、三プッシュアーム爪はそれぞれ対応する嵌合装置の内腔内に進入し、プッシュアーム爪の上部内側縁は斜め方向に止ブロックの被押圧エッジを押圧し、弾性部材は対応する嵌合装置の最も外側位置を押す。前記解除ボタンの外部はプッシュ面であり、内部には斜面を備える。組立時には上蓋の収納スロット内の外側に近い箇所に配置し、プッシュ面は収納スロットの外側に配置する。前記ロック嵌合部には、解除ボタンの斜面に対応する斜面と上方向に突出するロック棒を配置し、底面には内側方向に深く進入し弾性部材を収納するための内設穴を備える。組立時には上蓋の収納スロット内の内側に近い箇所に配置し、斜面と解除ボタンの斜面を向き合わせて密着させ、ロック棒を上蓋のロック棒孔に真正面に向かせる。上蓋と底座を併せて結合する時、弾性部材の底端は底座内壁によって押圧され、ロック嵌合部全体に上向きに移動する力が生まれ、ロック棒は上向きに上蓋のロック棒孔を貫通し外側に突出する。
【０００６】
上述のプッシュ式引掛シーリングローゼットにおいて、解除ボタンがプッシュ面を押す時、解除ボタンは収納スロットに沿って内側に移動し、解除ボタンの斜面は分力によりロック嵌合部の斜面を押し動かし、従動されるロック嵌合部は弾性部材を圧縮して下降し、これによりロック棒は上蓋のロック棒孔内に収縮する。
【０００７】
上述のプッシュ式引掛シーリングローゼットにおいて、嵌合装置の嵌着面は上層嵌着面、上層ガイド斜面、下層嵌着面、下層ガイド斜面を備えた二層式とする。
【０００８】
上述のプッシュ式引掛シーリングローゼットにおいて、嵌合装置の嵌着面はただ嵌着面及びガイド斜面を備えた一層式とする。
【考案の効果】
【０００９】
本考案のプッシュ式引掛シーリングローゼットは、嵌合装置の外部に嵌着面を形成し、吊り下げ式照明器具と組み合わせて結合する利便を図り、尚且つ、嵌合装置が平均的に安定定位した状態で吊り下げ式照明器具を支えられる効果を備える。
【図面の簡単な説明】
【００１０】
【図１】本考案第一実施例の立体組立上面斜視図である。
【図２】本考案第一実施例の立体組立下面斜視図である。
【図３】本考案第一実施例の上面斜視立体分解図である。
【図４】本考案第一実施例の下面斜視立体分解図である。
【図５】本考案第一実施例の嵌合装置の断面図である。
【図６】本考案第一実施例のボタンの立体図である。
【図７】本考案第一実施例の組立断面図である。
【図８】本考案第二実施例の立体組立上面斜視図である。
【図９】本考案第二実施例の立体組立下面斜視図である。
【図１０】本考案第二実施例の上面斜視立体分解図である。
【図１１】本考案第二実施例の下面斜視立体分解図である。
【考案を実施するための形態】
【００１１】
図１〜図７には本考案の第一実施例の引掛シーリングローゼット１を示した。該プッシュ式引掛シーリングローゼットは、特に二層を嵌着したプッシュ式引掛シーリングローゼットであり、構造の構成において、上蓋１０、ナット１０１、底座１１、ボルト１１１、ねじ１１２、引掛部材１２、ねじ１２１、嵌合装置１３、弾性部材１３１、ボタン１４、解除ボタン１５、ロック嵌合部１６、弾性部材１６１を組み合わせて構成される。
【００１２】
その内、上蓋１０底部中央下方には軸方向に三本に分割されるガイド骨１０２を設け、その上端に近い箇所には外向きに定位突出エッジ１０２１（図７参照）を形成する。上蓋１０の周囲縁には三箇所に挿入スロット１０３と一箇所に収納スロット１０４（該スロットは内側に凹んだ形状にカット）を設置し、内部には二箇所に螺着穴１０５を設け、上面の二箇所には方形の貫通孔１０６と一箇所にロック棒孔１０７を貫設する。上蓋１０内部には若干のスライド溝を設け、各挿入スロット１０３の内部には位置決めブロック１０８を設ける。引掛部材１２の数量は二つで、組み立て時、ねじ１２１をそれぞれ引掛部材１２の貫通孔１２２に挿設し、並びに上蓋１０内部の螺着穴１０５に螺着し（図４参照）、引掛部材１２の湾曲鈎部１２３を上向きに上蓋１０の貫通孔１０６に貫設する（図１参照）。
【００１３】
底座１１には前記挿入スロット１０３に対応して並列配置する三つの挿入スロット１１３と、前記収納スロット１０４に対応して並列配置する一つの収納スロット１１４を備え、別に底座１１の内部には若干のスライド溝を設け、底面中央には大貫通孔１１５を設置し、三つの収納スロット１１６を貫設する。嵌合装置１３の数量は三つで、図５に示すとおり、各嵌合装置１３は内側方向に内腔１３２を備え、上部には内側から外側方向にスロット１３３を設置し、終端には止ブロック１３４を上に向かって延伸させる。底部には下方向に延伸する位置決めブロック１３５を設け、止ブロック１３４後方には位置決め嵌合口１３６を形成する。止ブロック１３４の外側底縁には特別に円弧状の被押圧エッジ１３４１を設け、嵌合装置１３の外部には一組二層の上層嵌着面１３７と下層嵌着面１３８を形成する。また、その底面にはそれぞれ上層ガイド斜面１３７１と下層ガイド斜面１３８１を形成する。弾性部材１３１（例えば棒状バネ）は嵌合装置１３に係合させて使用する故、その数量は３とする。図７に示すとおり、各弾性部材１３１を組立てる時はそれぞれを上蓋１０内に対応する挿入スロット１０３の小さいスライド溝内に配置すると離脱できなくなり、弾性部材１３１の一端は上蓋１０内の各ガイド骨１０２の定位突出エッジ１０２１に被せて定位させ、続いて三つの嵌合装置１３をそれぞれ対応する上蓋１０の挿入スロット１０３内のスライド溝上に配置し内側方向に押し入れると、弾性部材１３１の一部がスロット１３３の範囲内に進入し、尚且つ弾性部材１３１の他の一端は嵌合装置１３の止ブロック１３４を押圧してその位置制限を受け、それと同時に嵌合装置１３の位置決め嵌合口１３６は上蓋１０の位置決めブロック１０８を収納し、これによって、嵌合装置１３全体の進退移動行程は位置限定嵌合口１３６と定点不動の位置決めブロック１０８間の相対位置の変化に制限を受ける。
【００１４】
図６に示すとおり、ボタン１４には円筒状のプッシュ部１４１を備え、その内部に直立状のガイド溝１４２を形成し、上面には外側に延伸し等分されて傾斜するプッシュアーム爪１４３を形成する。また、図７に示すとおり、組み立て時、ボタン１４のプッシュ部１４１を底座１１上方から対応する底座１１の大貫通孔１１５内に挿設し、下方向に最低位置まで貫通して突出させる。その後、上蓋１０と底座１１の二者を結合する時、ボタン１４の三ガイド溝１４２はそれぞれ上蓋１０の三ガイド骨１０２を被嵌し（逆に言えば、上蓋１０の三ガイド骨１０２がそれぞれボタン１４の三ガイド溝１４２内に挿設される）、三プッシュアーム爪１４３はそれぞれ対応する嵌合装置１３の内腔１３２内に進入し、各プッシュアーム爪１４３の上部内側縁は斜め方向に止ブロック１３４の被押圧エッジ１３４１を押圧し（図７参照）、この時各弾性部材１３１は対応する嵌合装置１３の最も外側位置を押し、即ち、この状態の時に、上層嵌着面１３７と下層嵌着面１３８は上蓋１０と底座１１の円形範囲外に突出する。
【００１５】
解除ボタン１５の外部はプッシュ面１５１であり、内部には主に斜面１５２を備え、組立時には上蓋１０の収納スロット１０４内の外側に近い箇所に配置し、プッシュ面１５１は収納スロット１０４の外側に配置するが上蓋１０と底座１１の外径範囲内とする（図１及び図２参照）。ロック嵌合部１６には、解除ボタン１５の斜面１５２に対応する斜面１６２と上方向に突出するロック棒１６３を配置し、底面には内側方向に深く進入するスロット１６４を備え、組立時には上蓋１０の収納スロット１０４内の内側に近い箇所に配置し、斜面１６２と解除ボタン１５の斜面１５２を向き合わせて密着させ、ロック棒１６３は上蓋１０のロック棒孔１０７に真向かう。スロット１６４は弾性部材１６１を内設するためのもので、上蓋１０と底座１１の二者を結合する時、弾性部材１６１の底端は底座１１内壁によって押圧され、ロック嵌合部１６全体に上向きに移動する力が生まれ、ロック棒１６３は上向きに上蓋１０のロック棒孔１０７外側に突出する（図１参照）。その後、指或いは工具の力を借りてプッシュ面１５１を押圧する時、解除ボタン１５全体は収納スロット１０４に沿って内径方向に移動する。該過程において解除ボタン１５の斜面１５２は、分力でロック嵌合部１６の斜面１６２を押し動かし、従動されるロック嵌合部１６全体によって弾性部材１６１を圧縮して下降し、これによりロック棒１６３は下方向に移動し上蓋１０のロック棒孔１０７内に収縮する。その後、プッシュ面１５１を圧する力が消える（離れる）と、弾性部材１６１の弾力回復作用によってロック嵌合部１６全体が改めて上に移動し、ロック棒１６３は再度、上方向の上蓋１０のロック棒孔１０７の外側に突出し、斜面１６２が斜面１５２を押し動かし、従動される解除ボタン１５全体は収納スロット１０４に沿って軸方向に外側に移動し、図１に示される状態に戻る。
【００１６】
上述の構成関係に基づき、引掛部材１２、ねじ１２１、嵌合装置１３、弾性部材１３１、解除ボタン１５、ロック嵌合部１６、弾性部材１６１を上蓋１０内のそれぞれ予定する位置に組み立て、並びに、ボタン１４を底座１１の大貫通孔１１５内に挿設した後、上蓋１０と底座１１の二者を密着結合させる。前記構成要素は全て上蓋１０と底座１１内に収納し、上蓋１０のガイド骨１０２をボタン１４のガイド溝１４２内に挿設し、ボタン１４の三プッシュアーム爪１４３を対応する嵌合装置１３の内腔１３２内にそれぞれ進入させ、尚且つ各プッシュアーム爪１４３の上部内側縁は斜め方向に止ブロック１３４の被押圧エッジ１３４１を押圧し、しかも上蓋１０の挿入スロット１０３と底座１１の挿入スロット１１３を結合すると共に嵌合装置１３を包み込み、それと同時に各嵌合装置１３の位置決めブロック１３５は皆、底座１１の収納スロット１１６内に納められて定位する。最後にボルト１１１を底座１１の外部から上方向の底座１１と上蓋１０に予め設置した螺着用貫通孔に対応させて貫通させてから上蓋１０上面上のナット１０１を連結し、同様にねじ１１２を底座１１の外部から上方向の底座１１に予め設置した螺着用貫通孔に対応させて貫通してから、上蓋１０内部に予め設けた接合孔に螺着結合する。ボルト１１１とナット１０１の作用は、上蓋１０と底座１１を組み合わせて緊密に螺着する他、取り外す場合には、ボルト１１１を完全に抜き取らずにナット１０１を回せばよく、底座１１と上蓋１０を取り外しても突然落下することがないよう制限を設け、便利に電気的接続ができる。ねじ１１２は主に、上蓋１０と底座１１に安定した螺着を行って組み立てるのに用いる。引掛シーリングローゼット１全体の組み立てが完了した後は、図１及び図２に示すとおりとなる。
【００１７】
引掛シーリングローゼット１を使用する際は、高所の固定位置に先に取り付ける必要があり、上蓋１０に突出する引掛部材１２の湾曲鈎部１２３を対応する建築物上に予設した配線の取付孔内の回転スロットに照準を合わせて回転挿入させて嵌着を完成させる。該過程において、ロック嵌合部１６のロック棒１６３が圧力を受けると下方向に移動して上蓋１０のロック棒孔１０７内に収縮し、その後引掛部材１２の嵌着が完了した後は、ロック棒１６３は正面を向いて取付孔内の一定位孔に進入する。この時、引掛シーリングローゼット１全体を逆回転させて取付孔から離脱させたい場合、該動作はロック棒孔１０７が定位孔内を圧する状態を受けて阻止されるため、随意に引掛シーリングローゼット１全体を逆回転させて取付孔から取り外せない安全性、安定性を備える。即ち、引掛シーリングローゼット１を逆回転させて取付孔から取り外す際には、先ずプッシュ面１５１を押圧して解除ボタン１５を内側方向に移動させなければならず、こうすることで従動されるロック嵌合部１６は弾性部材１６１を圧縮して下降し、ロック棒１６３は下方向に移動して上蓋１０のロック棒孔１０７内に収縮するため、この時、引掛シーリングローゼット１を逆回転させて取付孔からスムーズに取り外すことができる。
【００１８】
引掛シーリングローゼット１の高所の固定位置への取り付けを完了した後、続いて、吊り下げ式照明器具と引掛シーリングローゼット１を結合させる取付ステップに入る。吊り下げ式照明器具を引掛シーリングローゼット１の下方から上方向の底座１１に近づけ、吊り下げ式照明器具の中央円孔（即ち取付孔）を各嵌合装置１３の下層ガイド斜面１３８１が圧せられるまで押す。取付者は上方向に力を加える動作を行い、上向きのプッシュ力が下層ガイド斜面１３８１に対して分力作用を起こし、各嵌合装置１３は弾性部材１３１を圧縮して内側に移動する（この時ボタン１４は不動）。これにより、吊り下げ式照明器具は下層ガイド斜面１３８１が徐々に内側に収縮することで上に移動し、瞬時に下層ガイド斜面１３８１と下層嵌着面１３８の交差する外側縁を通過して下層嵌着面１３８上方に至る。続いて、下層ガイド斜面１３８１が瞬間にしてプッシュ力作用を受けなくなるため、各嵌合装置１３は弾性部材１３１の弾力回復作用により外側方向に位置を戻す。取付者は吊り下げ式照明器具を下層嵌着面１３８上に取り付けることを選択するなら、予定していた比較的低い位置での取り付けが完了する。
【００１９】
取付者が吊り下げ式照明器具を上層嵌着面１３７に取り付けることを選択するなら、吊り下げ式照明器具を続けて上方向に移動し上層ガイド斜面１３７１を圧する必要がある。これにより、上層ガイド斜面１３７１に対して分力作用を起こし、嵌合装置１３は弾性部材１３１を圧縮して内側に移動する。吊り下げ式照明器具は上層ガイド斜面１３７１が徐々に内側に収縮することで上に移動し、瞬時に上層ガイド斜面１３７１と上層嵌着面１３７の交差する外側縁を通過して上層嵌着面１３７上方に至る。続いて、上層ガイド斜面１３７１が瞬間にしてプッシュ力作用を受けなくなるため、嵌合装置１３は弾性部材１３１の弾力回復作用により外側方向に位置を戻す。このようにして吊り下げ式照明器具の上層嵌着面１３７上への取り付け作業が終わり、予定していた比較的高い位置での取り付けが完了する。
【００２０】
吊り下げ式照明器具の比較的低い位置或いは比較的高い位置への取り付けに拘わらず、吊り下げ式照明器具を引掛シーリングローゼット１から取り外す時はまず、底座１１の外部からボタン１４のプッシュ部１４１を押して、ボタン１４全体を上昇させる（即ちガイド溝１４２がガイド骨１０２に沿って上昇する）。該過程においてはボタン１４のプッシュアーム爪１４３もまた同時に上昇し、分力により被押圧エッジ１３４１箇所から止ブロック１３４を押し動かして弾性部材１３１を圧縮し、嵌合装置１３全体を内側に移動させると、上層嵌着面１３７と下層嵌着面１３８の一部が上蓋１０と底座１１の円形範囲内に収縮する状況が発生する。この時、吊り下げ式照明器具は若干の障害もなく下方向に移動可能となり引掛シーリングローゼット１を離脱する。その後、プッシュ部１４１に対するプッシュを解除すると、弾性部材１３１の弾力回復作用によって嵌合装置１３は外側方向に位置を戻し、それと同時に傾斜状態のプッシュアーム爪１４３も連動して、ボタン１４を下降させて位置を戻す。
【００２１】
前述した第一実施例の引掛シーリングローゼット１は嵌合装置１３の外部に二層の上層嵌着面１３７と下層嵌着面１３８を形成し、何れかを選択させるものであるため、二層嵌着のプッシュ式引掛シーリングローゼットであるが、同様の構造及び作用原理のもと、一層嵌着のプッシュ式引掛シーリングローゼットも製造可能である。これは図８及び図１１に示すとおりである。本考案の第二実施例の引掛シーリングローゼット２は、一層嵌着のプッシュ式引掛シーリングローゼットであり、その構造は前述と同様、上蓋２０、ナット２０１、底座２１、ボルト２１１、ねじ２１２、引掛部材２２、ねじ２２１、嵌合装置２３、弾性部材２３１、ボタン２４、解除ボタン２５、ロック嵌合部２６、及び弾性部材２６１により構成される。その内、第一実施例の引掛シーリングローゼット１と同じ構造及び構成要素はここでは説明を省く。尚、第一実施例と異なる点は、嵌合装置２３の外部に一層の嵌着面２３７を形成する点であるが、これにより吊り下げ式照明器具を引掛シーリングローゼット２に取り付ける際は高さ調節が不可能となる。
【００２２】
以上の説明から理解されるとおり、本考案は新規のプッシュ式引掛シーリングローゼットを提供し、それは主に嵌合装置の外部に嵌着面を形成（上下層の嵌着面としてもよい）することにより、吊り下げ式照明器具の取り付けに利便を図るもので、嵌合装置の数量は３とするため、平均的に安定した状態で吊り下げ式照明器具を支え固定することができ、使用における完全な安全性、安定性を実現する。
【００２３】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２４】
１            引掛シーリングローゼット
１０            上蓋
１０１            ナット
１０２            ガイド骨
１０２１          定位突出エッジ
１０３            挿入スロット
１０４            収納スロット
１０５            螺着穴
１０６            貫通孔
１０７            ロック棒孔
１０８            位置決めブロック
１１            底座
１１１            ボルト
１１２            ねじ
１１３            挿入スロット
１１４            収納スロット
１１５            大貫通孔
１１６            収納スロット
１２            引掛部材
１２１            ねじ
１２２            貫通孔
１２３            湾曲鈎部
１３            嵌合装置
１３１            弾性部材
１３２            内腔
１３３            スロット
１３４            止ブロック
１３４１          被押圧エッジ
１３５            位置決めブロック
１３６            位置決め嵌合口
１３７            上層嵌着面
１３７１          上層ガイド斜面
１３８            下層嵌着面
１３８１          下層ガイド斜面
１４            ボタン
１４１            プッシュ部
１４２            ガイド溝
１４３            プッシュアーム爪
１５            解除ボタン
１５１            プッシュ面
１５２            斜面
１６            ロック嵌合部
１６１            弾性部材
１６２            斜面
１６３            ロック棒
１６４            スロット
２            引掛シーリングローゼット
２０            上蓋
２０１            ナット
２１            底座
２１１            ボルト
２１２            ねじ
２２            引掛部材
２２１            ねじ
２３            嵌合装置
２３１            弾性部材
２３７            嵌着面
２４            ボタン
２５            解除ボタン
２６            ロック嵌合部
２６１            弾性部材
【図１】
0003173885.tif 000003
【図２】
0003173885.tif 000004
【図３】
0003173885.tif 000005
【図４】
0003173885.tif 000006
【図５】
0003173885.tif 000007
【図６】
0003173885.tif 000008
【図７】
0003173885.tif 000009
【図８】
0003173885.tif 000010
【図９】
0003173885.tif 000011
【図１０】
0003173885.tif 000012
【図１１】
0003173885.tif 000013